(57)【特許請求の範囲】
【請求項１】
第１から第４の４つの筐体をこの順に重ね合わせた時に、第１と第２の筐体の間と第３と第４の筐体の間にそれぞれ配置され、重なった筐体をスライドさせた後に、一方を他方に対して１８０度回転させる回転軸と、
前記第２と第３の筐体の、前記回転軸と平行な方向に露出する一方の端面同士を結合する第１のヒンジと、
前記第１と第４の筐体の前記回転軸と平行な方向に露出する端面の、前記第１のヒンジ側の端面と反対側の端面同士を結合する第２のヒンジとを備え、
前記回転軸により、前記第１と第４の筐体に対して前記第２と第３の筐体をスライドさせ、スライド完了状態で前記第１と第２のヒンジにより前記第２と第３の筐体及び前記第１と第４の筐体をそれぞれ前記回転軸の回りに回転させながら開いて１つの平坦面を形成することを特徴とする多分割筐体の結合装置。
【請求項２】
前記回転軸が前記４つの筐体のスライド方向の全長と同じ長さを備え、
前記回転軸により、前記第１と第４の筐体に対して前記第２と第３の筐体をスライドさせた時に、前記第１と第４の筐体側に露出する前記回転軸の長さと、前記第２と第３の筐体側に露出する前記回転軸の長さが同じになるように、前記回転軸を第１と第２の筐体の間と第３と第４の筐体の間にそれぞれ取り付けたことを特徴とする請求項１に記載の多分割筐体の結合装置。
【請求項３】
前記回転軸を中空の円筒部材から形成し、
一方の側面には、前記回転軸の軸線方向に平行な第１のスリットを形成し、
前記第１のスリットが設けられた側面の反対側の側面には、前記回転軸の軸線方向に平行な第２のスリットを形成し、
前記第２のスリットの一方の端部には、前記回転軸の軸線方向に垂直な方向に前記回転軸を周回する第３のスリットを接続し、
前記第３のスリットの端部は、前記第１のスリットの延長線上に設け、
前記回転軸は、前記第１と第２のスリットを通過するねじによって前記回転軸の両側にある筐体に設けられたねじ穴に取り付けたことを特徴とする請求項１または２に記載の多分割筐体の結合装置。
【請求項４】
前記回転軸に、前記第１と第４の筐体に対して前記第２と第３の筐体が閉じる方向及び開く方向にスライド完了する直前で、そのスライド方向の力をアシストするスライドアシスト機構を組み込んだことを特徴とする請求項１に記載の多分割筐体の結合装置。
【請求項５】
前記スライドアシスト機構は、筐体側に固定される固定機構と、筐体に対して移動する移動機構とを備え、
前記固定機構は、
前記第１と第２の筐体の間と前記第３と第４の筐体の間にそれぞれ設けられた溝と、
前記移動機構を、前記第１と第３の筐体に取り付ける取付板と、
前記移動機構に設けられた回転軸を前記第２と第４の筐体に対して摺動保持するブラケットとを備え、
前記移動機構は、
筐体が重なった状態とフルスライドした状態の間の状態において、前記溝内を移動する本体と、
前記本体内の長手方向に設けられた凹部と
前記凹部に挿入されてその内周面に沿って移動する環状部品と、
前記環状部品の全長を二分する位置の、内周側に設けられた所定長の第１のスライド部材と、外周側に設けられて前記第１のスライド部材と同じ全長を備える第２のスライド部材と、
前記凹部の前記環状部品の内側に設けられ、前記第１のスライド部材の移動路に所定距離を隔てて対向するガイド面を備えるガイド部材と、
前記凹部の外側に設けられ、前記第２のスライド部材の移動を可能にするスペースと、
前記ガイド面の両側に設けられ、前記第１のスライド部材が、前記凹部内の左端側に位置した時と右端側に位置した時に、前記第１のスライド部材に対向する凹部と、
伸び縮み可能な柱状の弾性体と、該弾性体の両端部にそれぞれ揺動可能に連結された前記弾性体の横幅よりも大きな横幅を備えた駒部材とを有し、前記第１のスライド部材が前記凹部内の左端側に位置した時と右端側に位置した時に、前記駒部材の一方が前記凹部の一方に係止され、前記弾性体が前記第１のスライド部材と前記ガイド面との間のスペースに収容され、他方の駒部材が前記第１のスライド部材の端部に係止されるように前記凹部内に配置されるアシストばね部材、を備え、
スペース内には前記回転軸がその両端部を前記本体に支持されて設けられており、
前記固定機構の取付板は前記第１のスライド部材に固着され、
前記ブラケットは、前記スペース内で前記回転軸を摺動保持すると共に、前記第２のスライド部材との位置関係が変わらないように前記前記第２のスライド部材に係合していることを特徴とする請求項４に記載の多分割筐体の結合装置。
【請求項６】
請求項１から５の何れか１項に記載の多分割筐体の結合装置を備えた電子装置であって、
前記第１から第４の筐体の何れかには、１つの表示画像の４分の１の画面分の画像を他の画面と同期させて表示する制御装置を備え、
前記第１から第４の筐体により前記１つの平坦面が形成された時に、隣接する前記表示画面に全体として１つの画像を表示することを特徴とする多分割筐体の結合装置を備えた電子装置。
【発明の詳細な説明】
【技術分野】
【０００１】
本出願は多分割筐体の結合装置及び該結合装置を備えた電子装置に関する。
【背景技術】
【０００２】
近年、携帯電話等の情報端末の小型、薄型化に伴い、携帯性、操作性、表示の見やすさを良くする理由で、キーボード部等の固定部に対し、ディスプレイ部等の可動部をスライドさせる製品がある。図１（ａ）は固定筐体（下側筐体）１に対して、可動筐体（上側筐体）２が重なり合った状態の情報端末３を示すものである。この情報端末３は図１（ｂ）に示すように、固定筐体１に対して、可動筐体２がスライドさせられて使用される。このような形態の情報端末３としては、例えば、携帯電話機、携帯端末（タブレットコンピュータ等の小型コンピュータ）、或いはゲーム機等がある。
【０００３】
ところが、このような情報端末３では、図１（ｂ）に示されるように、固定筐体１に対して、可動筐体２をスライドさせる際に、筐体の構造上、固定筐体１と可動筐体２とが開き切った状態（フルスライド状態）で両者の間に重なり代Ｌが必要であった。このため、可動筐体２の固定筐体１に対するスライド量は、スライドする方向の筐体長さの３分の２程度までであった。この構造は、下側の固定筐体１をキーボードにする場合は良かったが、下側の固定筐体１もディスプレイ部にする場合は、重なり代Ｌがあるために充分なディスプレイの広さを得ることができなかった。
【０００４】
これに対して、図１（ｃ）に示すような、フルスライド時に固定筐体１に対して可動筐体２が平坦（フルフラット）になる構造の情報端末４が、例えば、特許文献１や特許文献２に開示されている。特許文献１では、固定筐体（第１筐体）と可動筐体（第２筐体）の側面を連結する連結駒があり、連結駒にある２本のピンの一方が可動筐体に枢支され、他方が固定筐体にスライド可能に係合している。また、特許文献２では、固定筐体（第２筐体）と可動筐体（第１筐体）がリンク機構で接続されており、可動筐体が固定筐体に対してフルスライドして表示面がフルフラットになるようになっている。
【０００５】
携帯端末をメールやツイッター等の用途に使用する場合は、スマートフォン等の小型サイズで良いが、電子書籍になった雑誌や新聞を見る場合には、画面の大きいタブレットが適している。そして、スマートフォン型の携帯電話機とタブレットの両方の端末を持ち歩くのは大変なので、タブレットで兼用したいというニーズがある。
【先行技術文献】
【特許文献】
【０００６】
【特許文献１】特開２００９−７１５８８号公報
【０００７】
【特許文献２】特開２０１０−１５４１４９号公報
【発明の概要】
【発明が解決しようとする課題】
【０００８】
しかしながら、これまで２画面を１つの平坦な画面にする端末はあったが、より多くの画面、例えば４画面を結合してタブレットと同等のサイズを実現するような端末は無かった。また、分割された４つの筐体を結合して多画面の情報端末ができたとしても、図１（ｄ）に示すように、情報端末５を構成する４つの分割された筐体５Ａ〜５Ｄの画面に段差が生じるという課題があった。そして、段差が生じると、画面が見づらく、またタッチ動作（ワイプ動作）の際に支障になってしまう。
【０００９】
上述の問題に鑑み、本願は多数の分割された筐体を結合して１つの画面を形成する情報端末などの電子装置において、分割された筐体を結合した時に、結合された筐体の画面がフルフラットになる多分割筐体の結合装置を提供することを目的とする。また、分割された筐体を結合した時に、結合された筐体の画面がフルフラットになる多分割筐体の結合装置を備えた電子装置の提供を目的とする。
【課題を解決するための手段】
【００１０】
実施形態の一観点によれば、多分割筐体の結合装置は、第１から第４の４つの筐体をこの順に重ね合わせた時に、第１と第２の筐体の間と第３と第４の筐体の間にそれぞれ配置され、重なった筐体をスライドさせた後に、一方を他方に対して１８０度回転させる回転軸と第２と第３の筐体の、回転軸と平行な方向に露出する端面の一方同士を結合する第１のヒンジと、第１と第４の筐体の回転軸と平行な方向に露出する端面の、第１のヒンジ側の端面と反対側の端面同士を結合する第２のヒンジとを備え、回転軸により、第１と第４の筐体に対して第２と第３の筐体をスライドさせ、スライド完了状態で第１と第２のヒンジにより第２と第３の筐体及び第１と第４の筐体をそれぞれ回転軸の回りに回転させながら開いて１つの平坦面を形成することを特徴としている。
【００１１】
また、実施形態の他の観点によれば、多分割筐体の結合装置を備えた電子装置は、第１から第４の４つの筐体をこの順に重ね合わせた時に、第１と第２の筐体の間と第３と第４の筐体の間にそれぞれ配置され、重なった筐体をスライドさせた後に、一方を他方に対して１８０度回転させる回転軸と第２と第３の筐体の、回転軸と平行な方向に露出する端面の一方同士を結合する第１のヒンジと、第１と第４の筐体の回転軸と平行な方向に露出する端面の、第１のヒンジ側の端面と反対側の端面同士を結合する第２のヒンジとを備え、回転軸により、第１と第４の筐体に対して第２と第３の筐体をスライドさせ、スライド完了状態で第１と第２のヒンジにより第２と第３の筐体及び第１と第４の筐体をそれぞれ回転軸の回りに回転させながら開いて１つの平坦面を形成する多分割筐体の結合装置を備えた電子装置であって、第１から第４の筐体の回転軸が設けられている面と反対側に面に表示画面を備え、１つの平坦面が１つの表示画面となることを特徴としている。
【図面の簡単な説明】
【００１２】
【図１】（ａ）は関連技術のスライド型情報端末の閉じた状態を示す斜視図、（ｂ）は（ａ）に示した情報端末がスライドした状態を示す斜視図、（ｃ）は（ｂ）に示した情報端末が更にスライドして画面がフルフラットになった状態を示す斜視図、（ｄ）は分割された４つの筐体を結合してできた結合画面を備えた関連技術の情報端末を示す斜視図である。
【図２】（ａ）は多分割筐体を備えた電子装置の一実施形態の、画面を閉じた状態を示す斜視図、（ｂ）は（ａ）に示した電子装置の多分割筐体を結合装置を使用して開き、平坦面に１つの画面が形成された状態を示す斜視図である。
【図３】一実施形態の多分割筐体の結合装置の部分動作を示すものであり、（ａ）は重ね合わされて閉じた状態の２つの筐体を示す斜視図、（ｂ）は（ａ）に示した２つの筐体が結合装置の回転軸を使用してスライドする状態を示す斜視図、（ｃ）は（ｂ）に示した２つの筐体の内の一方が結合装置の回転軸を使用し他方に対して１８０度回転する状態を示す斜視図、（ｄ）は（ｃ）に示した一方の筐体の回転が終了して２つの筐体のディスプレイ面がフラットになった状態を示す斜視図である。
【図４】一実施形態の多分割筐体を備えた電子装置の個々の部品を示すものであり、（ａ）は第１の筐体の正面図、（ｂ）は（ａ）に示した第１の筐体の右側面図、（ｃ）は第２の筐体の正面図、（ｄ）は（ｃ）に示した第２の筐体の左側面図、（ｅ）は第１と第２の筐体の間に内蔵される結合装置の回転軸の平面図、（ｆ）は（ｅ）のＦ−Ｆ線における断面図、（ｇ）は（ｅ）に示した回転軸の底面図、（ｈ）は（ｇ）のＨ−Ｈ線における断面図、（ｉ）は（ｅ）、（ｇ）に示した回転軸の中に挿入される摺動補助部材の平面図、（ｊ）は（ｉ）に示した摺動補助部材の側面図である。
【図５】（ａ）は図４（ｅ）に示した回転軸を摺動補助部材を使用して第２の筐体に取り付ける様子を示す組立斜視図、（ｂ）は図４（ｅ）、（ｆ）に示した回転軸が摺動補助部材を介して第１と第２の筐体に取り付けられた状態を示す断面図である。
【図６】図２（ａ）に示した電子装置が図２（ｂ）に示した状態に変形される工程を示すものであり、（ａ）は４つの筐体が重ね合わされた状態を示す斜視図、（ｂ）は（ａ）に示した４つの筐体の内、外側の２つの筐体を内側の２つ筐体に対してスライドさせ始めた状態を示す斜視図、（ｃ）は（ｂ）に示した４つの筐体の内、外側の２つの筐体が内側の２つ筐体に対してスライドを完了した状態を示す斜視図、（ｄ）は（ｃ）に示した状態から外側の２つの筐体及び内側の２つ筐体を、それぞれヒンジの回転軸の回りに回転させ始めた状態を示す斜視図、（ｅ）は（ｄ）に示した状態から外側の２つの筐体及び内側の２つ筐体が更に回転して、それぞれ１８０度ずつ回転させた状態を示す斜視図である。
【図７】図２（ａ）に示した電子装置が図２（ｂ）に示した状態に変形される工程を正面から見たものであり、（ａ）は図６（ａ）から（ｃ）に対応する正面図、（ｂ）は（ａ）に示した状態から外側の２つの筐体及び内側の２つ筐体を、それぞれヒンジの回転軸の回りに回転させ始めた状態を示す正面図、（ｃ）は（ｂ）に示した状態から外側の２つの筐体及び内側の２つ筐体を更に回転させた状態を示す正面図、（ｄ）は（ｃ）に示した状態から外側の２つの筐体及び内側の２つ筐体を更に回転させてそれぞれ１８０度ずつ回転させた状態を示す正面図である。
【図８】図６（ａ）に示した４つの筐体を備えた電子装置の内部の筐体を引き出さない側の端面同士を結合して形成した８つの筐体を備えた電子装置の斜視図、（ｂ）は（ａ）に示した４つの筐体の内、外側の２つの筐体を内側の２つ筐体に対して、それぞれ反対方向にスライドさせ始めた状態を示す斜視図で、図６（ｂ）に対応する図、（ｃ）は（ｂ）に示した４つの筐体の内、外側の２つの筐体が内側の２つ筐体に対してスライドを完了した状態を示す斜視図であり、図６（ｃ）に対応する図である。
【図９】（ａ）は図８（ｃ）に示した状態から外側の２つの筐体及び内側の２つ筐体を、それぞれヒンジの回転軸の回りに回転させ始めた状態を示す斜視図であり、図６（ｄ）に対応する図、（ｂ）は（ａ）に示した状態から外側の２つの筐体及び内側の２つ筐体が更に回転して、それぞれ１８０度ずつ回転させた状態を示す斜視図であり、図６（ｅ）に対応する図である。
【図１０】他の実施形態の、スライドアシスト機構を備えた多分割筐体の結合装置の部分的な構造を示す組立斜視図である。
【図１１】（ａ）は図１０に示したスライドアシスト機構を備えた多分割筐体の結合装置が取り付けられた第１と第２の筐体を示すものであり、第１の筐体に対して第２の筐体がスライドと回転を完了した状態を示す側面図、（ｂ）は（ａ）の状態から第２の筐体が第１の筐体に対して回転軸の回りに１８０度回転した状態を示す側面図である。
【図１２】（ａ）は図１１（ｂ）の状態から第２の筐体が第１の筐体に対して近づく方向にスライドした時のスライドアシスト機構を備えた多分割筐体の結合装置の動作を示す側面図、（ｂ）は（ａ）の第２の筐体が第１の筐体に対して更にスライドして２つの筐体が重なった時のスライドアシスト機構を備えた多分割筐体の結合装置の動作を示す側面図である。
【図１３】（ａ）は他の実施形態の結合装置に使用するスライドアシスト機構のばねと駒部材の結合を示す組立斜視図、（ｂ）は他の実施形態の結合装置に使用するスライドアシスト機構のばねと駒部材の結合状態を示す側面図である。
【図１４】（ａ）は他の実施形態の結合装置における第２の筐体と第３の筐体を結合するヒンジを示す部分斜視図、（ｂ）は他の実施形態の結合装置における第１の筐体と第４の筐体を結合するヒンジを示す部分斜視図である。
【発明を実施するための形態】
【００１３】
以下、添付図面を用いて本出願に係る多分割筐体の結合装置及び結合装置を備えた電子装置の実施の形態を、具体的な実施例に基づいて詳細に説明する。
【００１４】
図２（ａ）は多分割筐体を備えた電子装置４０の一実施形態の閉じた状態を開示するものであり、図２（ｂ）は後述する結合装置を使用して開いた状態の電子装置４０を示している。この実施形態の電子装置４０は、第１から第４の４つの分割筐体４１〜４４を備えている。分割筐体４１〜４４は以後単に筐体４１〜４４と記す。第１から第４の４つの筐体４１〜４４にはそれぞれ画面（ディスプレイ）４１Ｄ〜４４Ｄがある。第１から第４の４つの筐体４１〜４４が開いた状態では、各ディスプレイ４１Ｄ〜４４Ｄが近接し、１つの大画面となる。
【００１５】
図２（ａ）に示すように、第１から第４の４つの筐体４１〜４４は、第１と第２の筐体４１、４２がペアであり、第３と第４の筐体４３、４４がペアとなっている。第１と第２の筐体４１、４２の重なり面にはそれぞれ円周溝４１Ｍ、４２Ｍがあり、円周溝４１Ｍ、４２Ｍの中に回転軸１０が収容されている。同様に、第３と第４の筐体４３、４４の重なり面にもそれぞれ円周溝４３Ｍ、４４Ｍがあり、円周溝４３Ｍ、４４Ｍの中に結合装置である回転軸１０が収容されている。
【００１６】
電子装置４０では、第２の筐体４２と第３の筐体４３が隣接配置されており、第２の筐体４２と第３の筐体４３の長手方向の端面の一方（図２（ａ）では下側の端面）には、端面同士を接続する第１のヒンジ１１（以後単にヒンジ１１と記す）が取り付けられている。第２の筐体４２と第３の筐体４３は、このヒンジ１１を回転軸にしてＶ字状に開くことができる。また、電子装置４０の外側に配置された第１と第４の筐体４１、４４には、長手方向の端面の他方（図２（ａ）では上側の端面）には、端面同士を接続する第２のヒンジ１２（以後単にヒンジ１２と記す）が取り付けられている。第１の筐体４１と第４の筐体４４は、このヒンジ１２を回転軸にしてＶ字状に開くことができる。これらの動作については後述する。
【００１７】
図２（ａ）に示した第１と第２の筐体４１、４２と、第３と第４の筐体４３、４４は、回転軸１０による動作は全く同じであるので、ここでは図３を用いて電子装置４０における第１と第２の筐体４１、４２の動作について説明する。図３（ａ）は第１と第２の筐体４１、４２が重ね合わされて閉じた状態を示している。前述のように第１と第２の筐体４１、４２の重なり面には回転軸１０が収容されている。第１と第２の筐体４１、４２は、回転軸１０によりスライド動作と回転動作が可能である。
【００１８】
図３（ｂ）は、図３（ａ）に示した第１の筐体４１に対して、第２の筐体４２が回転軸１０を使用して離間する方向にスライドする状態を示している。ここで、第１の筐体４１から突出して第２の筐体４２の溝４２Ｍ内に突出する回転軸１０の長さと、第２の筐体４２から突出して第１の筐体４１の溝４１Ｍ内に突出する回転軸１０の長さは同じである。図３（ｃ）は、図３（ｂ）に示した第１の筐体４１と第２の筐体４２が最大限スライドした状態（スライド完了状態であり、以後フルスライド状態とも記す）を示している。フルスライド状態では、第１の筐体４１と第２の筐体４２の隣接する端部同士は重なり合っておらず、第２の筐体４２は、回転軸１０の回りに、矢印で示すように第１の筐体４１に対して１８０度回転することができる。
【００１９】
図３（ｄ）は、図３（ｃ）に示した状態から、第２の筐体４２が回転軸１０の回りに第１の筐体４１に対して１８０度回転した状態を示すものである。第２の筐体４２が回転軸１０の回りに１８０度回転すると、第１と第２の筐体４１、４２の筐体の一方の面が平坦（フラット）になるので、この面にディスプレイを設けておけば、フラットな２画面が得られる。このとき、フラットな２画面の裏面側には回転軸１０の側面の半分が露出している。なお、回転軸１０は、完全な円柱状でなくても、第１の筐体４１に対して第２の筐体４２が１８０度回転できる形状であれば良い。
【００２０】
次に、図４を用いて第１と第２の筐体４１、４２及び回転軸１０の具体的な一実施形態を説明する。第３と第４の筐体４３、４４及び回転軸１０の構造は、第１と第２の筐体４１、４２及び回転軸１０の構造と全く同じであるのでその説明を省略する。図４（ａ）は第１の筐体４１の正面図であり、図４（ｂ）は図４（ａ）に示した第１の筐体４１の右側面図である。第１の筐体４１には長手方向中央部に円周溝４１Ｍが形成されている。また、円周溝４１Ｍの所定位置には、後述する摺動補助部材を取り付けるためのねじ穴４１Ａがある。図４（ｃ）は第２の筐体４２の正面図であり、図４（ｄ）は図４（ｃ）に示した第２の筐体４２の左側面図である。第２の筐体４２には長手方向中央部に円周溝４２Ｍが形成されている。また、円周溝４２Ｍの所定位置には、後述する摺動補助部材を取り付けるためのねじ穴４２Ａがある。
【００２１】
図４（ｅ）は第１と第２の筐体４１、４２の重なり合った面にある溝４１Ｍ、４２Ｍの中に収容される回転軸１０の平面図であり、図４（ｆ）は図４（ｅ）のＦ−Ｆ線における断面図である。また、図４（ｇ）は、図４（ｅ）に示した回転軸１０の底面図であり、図４（ｈ）は図４（ｇ）のＨ−Ｈ線における断面図である。回転軸１０の長さは、第１と第２の筐体４１、４２の長手方向の長さと同じである。回転軸１０は中空のチューブ状であり、図４（ｆ）に示すように、その壁面の表側と裏側に長手方向にスリット１０Ｓ１、１０Ｓ２が設けられている。スリット１０Ｓ１、１０Ｓ２の一方の端部に設けられた直径の大きな孔ＳＨはねじ頭を挿通する、或いはねじを回すドライバを挿入するためのものである。スリット１０Ｓ２の他方の端部には円周方向に伸びる環状のスリット１０Ｒが設けられている。環状のスリット１０Ｒは、図４（ｈ）に示すように、スリット１０Ｓ２を移動してきたねじを１８０度反対側に移動させるだけの長さを備える。
【００２２】
図４（ｉ）は、図４（ｅ）〜（ｈ）に示した中空の回転軸１０の中に挿入する摺動補助部材１３の平面図であり、図４（ｊ）は図４（ｉ）に示した摺動補助部材１３の側面図である。摺動補助部材１３の長手方向の一方の面は平坦面であり、他方の面は中空の回転軸１０の内周面に沿った円周面である。摺動補助部材１３には、平坦面から円周面まで貫通する孔１３Ａが、ねじを挿通するために設けられている。摺動補助部材１３の１つは、回転軸１０のスリット１０Ｓ１を挿通するねじによって、円周溝４１Ｍの所定位置にあるねじ穴４１Ａに取り付けられる。摺動補助部材１３の他の１つは、回転軸１０のスリット１０Ｓ２を挿通するねじによって、円周溝４２Ｍの所定位置にあるねじ穴４２Ａに取り付けられる。
【００２３】
図５（ａ）は、図４（ｅ）に示した回転軸１０を、摺動補助部材１３を使用して第２の筐体４２に取り付ける様子を示す組立斜視図である。摺動補助部材１３は先に中空の回転軸１０内に挿入しておき、摺動補助部材１３を第２の筐体４２に取り付けるためのねじ１４は、例えば図４（ｇ）に示したスリット１０Ｓ１の端部にある孔ＳＨを通して回転軸１０内に挿入する。また、摺動補助部材１３に取り付けられたねじ１４は、孔ＳＨを挿通したドライバによって第２の筐体４２に螺着される。このようにして摺動補助部材１３がねじ１４によって第２の筐体４２に取り付けられると、第２の筐体４２は回転軸１０に対して長手方向に移動できると共に、スリット１０Ｒによって回転軸１０に対して１８０度回転できる。もう１つの摺動補助部材１３のねじ１４を使用した第１の筐体４１への取り付けも同様に行うことができるので図示を省略する。
【００２４】
図５（ｂ）は、図４（ｅ）、（ｆ）に示した回転軸１０が摺動補助部材１３とねじ１４によって第１と第２の筐体４１、４２に取り付けられた状態を示す断面図である。第１と第２の筐体４１、４２にはねじ１４が取り付けられるボス部やその他の回路部品があるが、ここではこれらの図示を省略してあり、回転軸１０、摺動補助部材１３、ねじ１４及び第１と第２の筐体４１、４２の位置関係のみを示してある。本図と図４（ｅ）、（ｇ）から分かるように、第１の筐体４１は回転軸１０に対して長手方向の移動のみが可能であり、第２の筐体４２は回転軸１０に対して長手方向の移動と１８０度の回転が可能である。
【００２５】
なお、スリット１０Ｓ１、１０Ｓ２の長さとねじ穴４１Ａ、４２Ａの溝４１Ｍ、４２Ｍ内の位置は、図３（ｃ）に示すように、第１と第２の筐体４１、４２をフルスライドさせた時に回転軸１０が同じ長さだけ溝４１Ｍ、４２Ｍ内に突出するように決めれば良い。以上、第１と第２の筐体４１、４２について説明したが、第３と第４の筐体４３、４４は、前述のように構造が第１と第２の筐体４１、４２と同じであるので、第１と第２の筐体４１、４２と同じ動作が可能である。
【００２６】
ここで、図２（ａ）に示した第１から第４の筐体４１〜４４を備えた電子装置４０が、図２（ｂ）に示した状態に変形される過程を、図６及び図７を用いて説明する。なお、説明を分かり易くするために、回転軸１０は図３同様に単なる円柱状の部材として描いてある。図６（ａ）は第１から第４の４つの筐体４１〜４４が重ね合わされた状態を示している。前述のように、第２と第３の筐体４２、４３の長手方向の側面がヒンジ１１によって結合され、第１と第４の筐体４１、４４の長手方向の側面がヒンジ１２によって結合されている。
【００２７】
図６（ｂ）は、図６（ａ）に示した４つの筐体４１〜４４の内、外側の第１と第４の筐体４１、４４を、内側の第２と第３の筐体４２、４３に対してスライドさせ始めた状態を示している。ここで、第１と第４の筐体４１、４４から第２と第３の筐体４２、４３側に突出する回転軸１０の長さと、第２と第３の筐体４２、４３から第１と第４の筐体４１、４４側に突出する回転軸１０の長さは同じである。
【００２８】
図６（ｃ）は、図６（ｂ）に示した外側の第１と第４の筐体４１、４４が、内側の第２と第３の筐体４２、４３に対してスライドを完了したフルスライド状態を示している。フルスライド状態では、第１と第４の筐体４１、４４の第２と第３の筐体４２、４３側の端部と、第２と第３の筐体４２、４３の第１と第４の筐体４１、４４側の端部とは重なり合っていない。また、第１と第４の筐体４１、４４から第２と第３の筐体４２、４３側に突出する回転軸１０の長さと、第２と第３の筐体４２、４３から第１と第４の筐体４１、４４側に突出する回転軸１０の長さは同じである。
【００２９】
この状態から第１と第４の筐体４１、４４のヒンジ１２が無い方の端部と、第２と第３の筐体４２、４３のヒンジ１１が無い方の端部を矢印の方向に広げる。すると、第１と第４の筐体４１、４４と第２と第３の筐体４２、４３は、図６（ｄ）に示すように、回転軸１０の回りに回転すると共に、ヒンジ１２、１１を中心にしてＶ字状に開いていく。第１と第４の筐体４１、４４及び第２と第３の筐体４２、４３を更に広げると、第１と第４の筐体４１、４４と第２と第３の筐体４２、４３は、回転軸１０の回りに１８０度回転したところで全ての面が図６（ｅ）に示すようにフルフラットになる。フルフラットになった第１から第４の筐体４１〜４４の面の裏面側には、ヒンジ１１、１２が露出している。
【００３０】
図６（ａ）から図６（ｅ）に示した状態を、電子装置４０の長手方向から見た図が図７（ａ）から図７（ｄ）に示される。図６（ａ）から図６（ｃ）に示した状態を電子装置４０の長手方向から見た図は全て同じであり、これが図７（ａ）に示される。図７（ｂ）は、図６（ｃ）に示した状態から第１と第４の筐体４１、４４及び第２と第３の筐体４２、４３を僅かに広げた状態を示している。第１と第４の筐体４１、４４及び第２と第３の筐体４２、４３を広げると、第１から第４の筐体４１〜４４は全て、回転軸１０を中心にして回転することが分かる。また、図７（ｃ）は、図６（ｄ）に示した状態から第１と第４の筐体４１、４４及び第２と第３の筐体４２、４３を更に広げた状態を示している。図７（ｄ）は図６（ｅ）に示す状態を電子装置４０の長手方向から見た図を示している。図７（ｄ）により、回転終了後の第１から第４の筐体４１〜４４のディスプレイが設けられる面がフルフラットになることが分かる。
【００３１】
以上説明した電子装置４０は、第１から第４の４つの筐体４１〜４４を用いて平坦な４画面を形成するものであった。図８（ａ）は、この電子装置４０を２台使用し、内部の筐体を引き出さない側の外部の筐体の端面同士を接合して形成された電子装置８０を示すものである。電子装置８０は、第１から第８の筐体４１〜４８を備えており、第１から第４の筐体４１〜４４は電子装置４０と同様の構造を備える。また、第５から第８の筐体４５〜４８は、第１から第４の筐体４１〜４４は電子装置４０を長手方向に１８０度回転させた構造を備えている。即ち、第５の筐体４５が第４の筐体４４と同じ構造、第６の筐体４６が第３の筐体４３と同じ構造、第７の筐体４７が第２の筐体４２と同じ構造、第８の筐体４８が第１の筐体４１と同じ構造をしている。そして、第１の筐体４１の第５の筐体４５側の端面と第５の筐体４５の第１の筐体４１側の端面、及び、第４の筐体４４の第８の筐体４８側の端面と第８の筐体４８の第４の筐体４４側の端面とが接合されている。
【００３２】
以上のように構成された電子装置８０では、図８（ｂ）に示すように、第１と第４の筐体４１、４４に対して第２と第３の筐体４２、４３を一方に引き出した時に、第６と第７の筐体４６、４７は第５と第８の筐体４５、４８に対して他方に引き出す。図８（ｃ）は第１と第４の筐体４１、４４に対して第２と第３の筐体４２、４３をフルスライドさせ、第５と第８の筐体４５、４８に対して第６と第７の筐体４６、４７をフルスライドさせた状態を示している。図８（ｃ）は図６（ｃ）に対応した電子装置８０を示している。
【００３３】
図９（ａ）は、図８（ｃ）に示した状態から、第２と第３の筐体４２、４３、第１と第４の筐体４１、４４、第５と第８の筐体４５、４８及び第６と第７の筐体４６、４７をそれぞれ対応するヒンジ１１、１２の回転軸の回りに回転させた状態を示している。第１の筐体と第５の筐体４１、４５、及び第４の筐体と第８の筐体４４、４８はその端部が接合されているので、それぞれ一体となって動く。図９（ｂ）は図９（ａ）に示した状態から第２と第３の筐体４２、４３、第１と第４の筐体４１、４４、第５と第８の筐体４５、４８及び第６と第７の筐体４６、４７がそれぞれ１８０度回転した状態を示すものである。第２と第３の筐体４２、４３、第１と第４の筐体４１、４４、第５と第８の筐体４５、４８及び第６と第７の筐体４６、４７がそれぞれ１８０度回転すると、８画面のフルフラット画面が出来上がる。
【００３４】
以上説明したように、開示の電子装置４０、８０は、重ね合わされた複数の筐体を結合装置によって広げて平坦な大画面を形成できるので、携帯時は小さくし、画像表示時は大きな画面を実現することができる。また、図８と図９に示した実施形態では、電子装置４０をそのまま２台接合したので、図９（ｂ）に示される表示画面は横長になっているが、各筐体の縦横比を変更すれば、縦横比が４：３或いは１６：９の画面も実現可能である。
【００３５】
次に、複数の筐体を、重なって閉じた状態から開く際及び開いた状態から閉じる際に、開ききる直前及び完全に閉じる直前に開き方向及び閉じる方向にアシスト力が加わる結合装置及びこの結合装置を備えた電子装置の他の実施形態を説明する。ここでは、スライドアシスト機構を備えた４つの筐体を備えた電子装置について説明するが、前述のように４つの筐体はその２つずつが全く同じ構造を備えているので、第１と第２の筐体及びこれらに取り付けられるスライドアシスト機構について説明する。
【００３６】
図１０は、スライドアシスト機構３０を備えた多分割筐体の結合装置の部分的な構造を示す組立斜視図であり、図１０には電子装置４０における第１と第２の筐体４１、４２に取り付けられるスライドアシスト機構３０が示されている。第１と第２の筐体４１、４２は開いた状態が示してある。第１の筐体４１の重ね合わせ面側には、同じ幅で同じ深さの長手方向に延びる溝４１Ｎがある。この溝４１Ｎの途中には後述する取付板４１Ｐを取り付けるための矩形状の取付凹部４１Ｔが設けられている。
【００３７】
第２の筐体４２には深さは同じであるが、幅の広い溝４２Ｗと幅の狭い溝４２Ｎが連続して設けられている。幅の広い溝４２Ｗの深さは第１の筐体４１にある溝４１Ｎと同じである。幅の広い溝４２Ｗの一方の壁面は第１の筐体４１にある溝４１Ｎの一方の壁面と連続している。また、幅の狭い溝４２は、第２の筐体４２を後述する回転軸の回りに１８０度回転して第１の筐体４１に重ね合わせた時に、溝４１Ｎと重なるように設けられている。そして、幅の広い溝４２Ｗの中には、後述する２つのブラケットを取り付けるための矩形状の取付凹部４２Ｔが２箇所に設けられている。
【００３８】
スライドアシスト機構３０は、本体３３、環状部品３５、取付板４１Ｐ、２つのブラケット４２Ｂ及び回転軸１０Ｃを備えている。本体３３は矩形の板状をしており、その長さは第１と第２の筐体４１、４２と同じであり、その幅は第１の筐体４１にある溝４１Ｎ内を摺動できる幅である。回転軸１０Ｃの長さは本体３３の長さと同じである。また、本体３３の厚さは、第１と第２の筐体４１、４２が重なり合った時に、溝４１Ｎと４２Ｎによって形成される空間内を摺動できる厚さ、即ち、溝４１Ｎの深さの２倍程度の厚さである。なお、実際には本体３３の溝４１Ｎと４２Ｎに対向する面にはカバーがあるが、このカバーは図示を省略してある。
【００３９】
本体３３には長円状の凹部３６と、この凹部３６に連通して本体３３の一方の長辺部まで切り欠かれたスペースである切り欠き部３７がある。凹部３６の中にはガイド部材３４があり、ガイド部材３４の両端部は半円状になっていて、凹部３６の両端部との間に半円状の通路が形成されている。ガイド部材３４の切り欠き部３７の反対側には両端に段差部３６Ｄを備えたスリット３６Ｓが形成されており、スリット３６Ｓの段差部３６Ｄに隣接する部分には後述する駒部材を収容して係止する係止凹部５１、５２がある。
【００４０】
環状部品３５はベルト状部材であり、その内周面に第１のスライド部材３１が取り付けられ、外周面に第２のスライド部材３２が取り付けられている。第１と第２のスライド部材３１、３２の長さは同じである。また、第１のスライド部材３１の一方の端部から第２のスライド部材３２の一方の端部までの環状部品３５の長さと、第１のスライド部材３１の他方の端部から第２のスライド部材３２の他方の端部までの環状部品３５の長さも同じである。環状部品３５は両端部が前述の半円状の通路に挿入された状態で本体３３の凹部３６内に組み込まれ、第１のスライド部材３１がガイド部材３４のスリット３６Ｓ内を移動できる。また、環状部品３５が凹部３６内に組み込まれた状態で第２のスライド部材３２が切り欠き部３７内を移動できる。
【００４１】
第１のスライド部材３１の第１の筐体４１側には取付板４１Ｐがねじ１５によって取り付けられ、第１のスライド部材３１が取り付けられた取付板４１Ｐは、ねじ１５によって第１の筐体４１の取付凹部４１Ｔに固着する。第２のスライド部材３２には凹部３２Ａが設けられているので、２つのブラケット４２Ｂを凹部３２Ａ内に位置させた状態で、回転軸１０Ｃを本体３３に設けられた軸挿通孔３８から挿入して、回転軸１０Ｃをブラケット４２Ｂに設けられた孔４２Ｈを貫通させる。ブラケット４２Ｂに設けられた孔４２Ｈを貫通させた回転軸１０Ｃは切り欠き部３７を通した後に、本体３３の反対側に設けられた軸挿通孔３８に通す。回転軸１０Ｃを挿通したブラケット４２Ｂは、凹部３２Ａの両端部に位置させると、第２の筐体４２に設けられた取付凹部４２Ｔにねじ１５で固着することができる。
【００４２】
環状部品３５はこの実施形態ではベルト状部材であるが、ワイヤ等を使用した線状部材でも良い。環状部品３５は、第１と第２のスライド部材３１、３２の部分を合成樹脂の板から切り出すことによって一体的に作ることができる。また、第１と第２のスライド部材３１、３２と、環状部品３５とを別体で作成しておいて、第１と第２のスライド部材３１、３２に環状部品３５を接続することによっても作ることができる。
【００４３】
スライドアシスト機構３０の本体３３が、第１の筐体４１の溝４１Ｎと第２の筐体４２の幅の広い溝４２Ｗ内に取り付けられた状態では、第１のスライド部材３１の一端部はスリット３６Ｓの第１の筐体４１側にある段差部３６Ｄ内に位置している。この状態で、引っ張りばね１９と駒部材２０を備えたアシストばね部材１８をスリット３６Ｓ内に取り付ける。この時、駒部材２０の一方は係止凹部５１内に挿入し、引っ張りばね１９は第１のスライド部材３１とガイド部材３４の間のスリット３６Ｓに挿入し、駒部材２０の他方は第１のスライド部材３１の端部に係止状態にする。この状態が図１１（ａ）に示す状態である。
【００４４】
アシストばね部材１８は、図１３（ａ）、（ｂ）に示すように、弾性体である引っ張りばね１９とこの引っ張りばね１９の両端部に揺動可能に取り付けられた駒部材２０とを備えている。駒部材２０の直径は引っ張りばね１９の短手方向の幅よりも大きい。駒部材２０は、例えば図１３（ａ）に示すように、円板状の本体２３の一部を円弧状に切り欠いて切欠部２１を形成し、この切欠部２１の本体２３の外周部近傍にポスト２２を突設したものである。このポスト２２に、引っ張りばね１９のフック部１９Ｈが取り付けられる。図１３（ｂ）は図１３（ａ）に示した引っ張りばね１９とその両端部に取り付けられた駒部材２０を示すものである。引っ張りばね１９のフック部１９Ｈは、駒部材２０のポスト２２に外れないように引っ掛けられているだけなので、駒部材２０は引っ張りばね１９に対して揺動が可能である。このように、駒部材２０としては、一部にばね１９のフック部１９Ｈを係止可能な引っ掛け部（ポスト２２）を持ち、また、後述するように駒部材２０を係止する部分が入れ替わる際に、転がりが良いように円形状等が良い。
【００４５】
図１１（ａ）に示すように、スライドアシスト機構３０が第１と第２の筐体４１、４２に取り付けられた状態では、第２の筐体４２は第１の筐体４１に対して、回転軸１０Ｃとブラケット４２Ｂにより、１８０度回転させることができる。図１１（ｂ）は第２の筐体４２を第１の筐体４１に対して、回転軸１０Ｃとブラケット４２Ｂにより、１８０度回転させた状態を示すものである。第２の筐体４２を第１の筐体４１に対して１８０度回転させると、第１の筐体４１の溝４１Ｎと第２の筐体４２の溝４２Ｎが一直線状に繋がる。
【００４６】
従って、この状態で第１の筐体４１と第２の筐体４２の両端部に外力を加えると、スライドアシスト機構３０が第１の筐体４１の溝４１Ｎと第２の筐体４２の溝４２Ｎを摺動するので、第１の筐体４１と第２の筐体４２を近づけることができる。図１１（ｂ）に示す状態で第１の筐体４１と第２の筐体４２の両端部に外力を加え始めた状態では、アシストばね部材１８の一方の駒部材２０が係止凹部５１に係止され、他方の駒部材２０が第１のスライド部材３１の一方の端部に係止されている。従って、第１の筐体４１の第２の筐体４２に近づく方向の移動により、引っ張りばね１９が伸びる。更に第１の筐体４１が第２の筐体４２に近づくと、第１のスライド部材３１の他方の端部が係止凹部５１の位置を通り過ぎる。
【００４７】
第１のスライド部材３１の他方の端部が係止凹部５１の位置を通り過ぎると、駒部材２０は係止凹部５１から出て、第１のスライド部材３１の他方の端部に係止されるようになる。図１２（ａ）は図１１（ｂ）の状態から第１の筐体４１と第２の筐体４２が全長の半分の長さだけ近づいた状態を示すものである。図１２（ａ）には、スライドアシスト機構３０の動作を示すために、第２の筐体４２の図示は省いてあり、その位置だけを二点鎖線で示してある。アシストばね部材１８は、両端の駒部材２０が第１のスライド部材３１の両端部に係止された状態のまま、第１の筐体４１と第２の筐体４２は近づいていく。駒部材２０が第１のスライド部材３１の両端部に係止された状態では引っ張りばね１９は伸びており、駒部材２０には他方の駒部材２０に近づく方向の引っ張り力が加わっている。
【００４８】
第１の筐体４１と第２の筐体４２が更に近づき、第１のスライド部材３１の一方の端部が係止凹部５２の位置まで来ると、アシストばね部材１８の駒部材２０が係止凹部５２内に入る。アシストばね部材１８の駒部材２０が係止凹部５２内に入ると、係止凹部５２によって一方の駒部材２０が係止されたアシストばね部材１８は、引っ張りばね１９によって第１のスライド部材３１の他方の端部に係止された駒部材２０を引っ張る。このため、第１と第２の筐体４１、４２が重なる直前では、第１と第２の筐体４１、４２を近づける方向のアシスト力が引っ張りばね１９によって発生し、第１と第２の筐体４１、４２が重なり易くなる。図１２（ｂ）が第１の筐体４１と第２の筐体４２が重なった状態を示している。
【００４９】
逆に、閉じた状態の第１と第２の筐体４１、４２を開いていく場合には、図１２（ａ）に示した状態から図１１（ｂ）に示した状態になる動作がスライドアシスト機構３０によって行われる。この場合は、第１と第２の筐体４１、４２がフルスライドする直前で、第１と第２の筐体４１、４２を遠ざける方向のアシスト力が引っ張りばね１９によって発生し、第１と第２の筐体４１、４２がフルスライド状態になる時の力が低減される。
【００５０】
図１４（ａ）は、他の実施形態の結合装置を備えた電子装置４０における第２の筐体４２と第３の筐体４３を結合するヒンジ１１を示すものである。ヒンジ１１の一端はねじ１６によって第２の筐体４２の端部に固定されており、ヒンジ１１の他端はねじ１６によって第３の筐体の端部に固定されている。第２の筐体４２と第３の筐体４３は、ヒンジ１１の回転軸１１Ａを中心にして回転することができる。
【００５１】
図１４（ｂ）は、他の実施形態の結合装置を備えた電子装置４０における第１の筐体４１と第４の筐体４４を結合するヒンジ１２を示すものである。ヒンジ１２の一端はねじ１６によって第１の筐体４１の端部に固定されており、ヒンジ１２の他端はねじ１６によって第４の筐体の端部に固定されている。第１の筐体４１と第４の筐体４４は、ヒンジ１２の回転軸１２Ａを中心にして回転することができる。
【００５２】
以上、本出願を特にその好ましい実施の形態を参照して詳細に説明した。本出願の容易な理解のために、本出願の具体的な形態を以下に付記する。
【００５３】
（付記１）  第１から第４の４つの筐体をこの順に重ね合わせた時に、第１と第２の筐体の間と第３と第４の筐体の間にそれぞれ配置され、重なった筐体をスライドさせた後に、一方を他方に対して１８０度回転させる回転軸と
前記第２と第３の筐体の、前記回転軸と平行な方向に露出する一方の端面同士を結合する第１のヒンジと、
前記第１と第４の筐体の前記回転軸と平行な方向に露出する端面の、前記第１のヒンジ側の端面と反対側の端面同士を結合する第２のヒンジとを備え、
前記回転軸により、前記第１と第４の筐体に対して前記第２と第３の筐体をスライドさせ、スライド完了状態で前記第１と第２のヒンジにより前記第２と第３の筐体及び前記第１と第４の筐体をそれぞれ前記回転軸の回りに回転させながら開いて１つの平坦面を形成することを特徴とする多分割筐体の結合装置。
（付記２）  前記回転軸が前記４つの筐体のスライド方向の全長と同じ長さを備え、
前記回転軸により、前記第１と第４の筐体に対して前記第２と第３の筐体をスライドさせた時に、前記第１と第４の筐体側に露出する前記回転軸の長さと、前記第２と第３の筐体側に露出する前記回転軸の長さが同じになるように、前記回転軸を第１と第２の筐体の間と第３と第４の筐体の間にそれぞれ取り付けたことを特徴とする付記１に記載の多分割筐体の結合装置。
（付記３）  前記回転軸を中空の円筒部材から形成し、
一方の側面には、前記回転軸の軸線方向に平行な第１のスリットを形成し、
前記第１のスリットが設けられた側面の反対側の側面には、前記回転軸の軸線方向に平行な第２のスリットを形成し、
前記第２のスリットの一方の端部には、前記回転軸の軸線方向に垂直な方向に前記回転軸を周回する第３のスリットを接続し、
前記第３のスリットの端部は、前記第１のスリットの延長線上に設け、
前記回転軸は、前記第１と第２のスリットを通過するねじによって前記回転軸の両側にある筐体に設けられたねじ穴に取り付けたことを特徴とする付記１または２に記載の多分割筐体の結合装置。
（付記４）  前記ねじのねじ頭と前記回転軸の内周面の間に、摺動補助部材を取り付けたことを特徴とする付記３に記載の多分割筐体の結合装置。
（付記５）前記第１と第２のスリットの長さと、ねじ穴の前記筐体における位置は、対向する２つの筐体をフルスライドさせた時に、前記回転軸が同じ長さだけ両側の筐体に突出する長さと位置になっていることを特徴とする付記３または４に記載の多分割筐体の結合装置。
【００５４】
（付記６）  前記回転軸に、前記第１と第４の筐体に対して前記第２と第３の筐体が閉じる方向及び開く方向にスライド完了する直前で、そのスライド方向の力をアシストするスライドアシスト機構を組み込んだことを特徴とする付記１に記載の多分割筐体の結合装置。
（付記７）  前記スライドアシスト機構は、筐体側に固定される固定機構と、筐体に対して移動する移動機構とを備え、
前記固定機構は、
前記第１と第２の筐体の間と前記第３と第４の筐体の間にそれぞれ設けられた溝と、
前記移動機構を、前記第１と第３の筐体に取り付ける取付板と、
前記移動機構に設けられた回転軸を前記第２と第４の筐体に対して摺動保持するブラケットとを備え、
前記移動機構は、
筐体が重なった状態とフルスライドした状態の間の状態において、前記溝内を移動する本体と、
前記本体内の長手方向に設けられた凹部と
前記凹部に挿入されてその内周面に沿って移動する環状部品と、
前記環状部品の全長を二分する位置の、内周側に設けられた所定長の第１のスライド部材と、外周側に設けられて前記第１のスライド部材と同じ全長を備える第２のスライド部材と、
前記凹部の前記環状部品の内側に設けられ、前記第１のスライド部材の移動路に所定距離を隔てて対向するガイド面を備えるガイド部材と、
前記凹部の外側に設けられ、前記第２のスライド部材の移動を可能にするスペースと、
前記ガイド面の両側に設けられ、前記第１のスライド部材が、前記凹部内の左端側に位置した時と右端側に位置した時に、前記第１のスライド部材に対向する凹部と、
伸び縮み可能な柱状の弾性体と、該弾性体の両端部にそれぞれ揺動可能に連結された前記弾性体の横幅よりも大きな横幅を備えた駒部材とを有し、前記第１のスライド部材が前記凹部内の左端側に位置した時と右端側に位置した時に、前記駒部材の一方が前記凹部の一方に係止され、前記弾性体が前記第１のスライド部材と前記ガイド面との間のスペースに収容され、他方の駒部材が前記第１のスライド部材の端部に係止されるように前記凹部内に配置されるアシストばね部材、を備え、
スペース内には前記回転軸がその両端部を前記本体に支持されて設けられており、
前記固定機構の取付板は前記第１のスライド部材に固着され、
前記ブラケットは、前記スペース内で前記回転軸を摺動保持すると共に、前記第２のスライド部材との位置関係が変わらないように前記前記第２のスライド部材に係合していることを特徴とする付記６に記載の多分割筐体の結合装置。
（付記８）  前記溝は、前記前記第１と第３の筐体に設けられる第１の溝と、前記第２と第４の筐体に設けられる第２と第３の溝とを備え、
前記第１の溝は、前記移動機構を収容する幅で前記筐体の長手方向に、その中心軸が前記筐体の中心軸からオフセットされて設けられており、
前記第２と第３の溝は、前記第２と第４の筐体を長手方向に二分する線の左右に設けられており、前記第１と第２の筐体及び前記第３と第４の筐体が重なった状態では、前記第２の溝は前記第１の溝に重なり、前記第２と第４の筐体が前記第１と第３の筐体の筐体に対して１８０度回転した状態では、前記第３の溝が前記移動機構を受け入れることを特徴とする付記７に記載の多分割筐体の結合装置。
（付記９）  前記弾性体が引っ張りばねであり、前記前記第１のスライド部材が移動して、前記第１のスライド部材の両端部の対向位置から前記第１のスライド部材が外れると、前記凹部の一方に係止されていた前記駒部材が前記凹部から抜け出し、前記２つの駒部材は前記第１のスライド部材の両端部に係止され、
前記第１のスライド部材が移動して、前記第１のスライド部材の移動方向先端側の端部が前記凹部の端部位置に至ると、先端側の端部に係止された前記駒部材が前記凹部内に入り込んで係止され、前記第１のスライド部材の後端側に前記アシストばね部材から移動方向の引っ張り力が印加されることを特徴とする付記８に記載の多分割筐体の結合装置。
（付記１０）  前記凹部の形状が長円状であり、前記凹部の両端部に位置する前記ガイド部材の前記凹部の両端部に対向する外周面は円周面であり、前記凹部の両端部と前記ガイド部材の前記外周面との間には、前記環状部品が移動可能な移動通路が形成されていることを特徴とする付記７から９の何れかに記載の多分割筐体の結合装置。
【００５５】
（付記１１）  付記１から９の何れかに記載の多分割筐体の結合装置を備えた電子装置であって、
前記第１から第４の筐体の何れかには、１つの表示画像の４分の１の画面分の画像を他の画面と同期させて表示する制御装置を備え、
前記第１から第４の筐体により前記１つの平坦面が形成された時に、隣接する前記表示画面に全体として１つの画像を表示することを特徴とする多分割筐体の結合装置を備えた電子装置。
（付記１２）  付記１１に記載の電子装置を２つ備え、
前記第１と第４の筐体の長手方向の端面のうち、前記第２と第３の筐体が出没する側と反対側の端面同士を接合し、
８つの筐体の何れかには、１つの表示画像の８分の１の画面分の画像を他の画面と同期させて表示する制御装置を備え、
２組の前記第１から第４の筐体により前記１つの平坦面が形成された時に、隣接する前記表示画面に全体として１つの画像を表示することを特徴とする多分割筐体の結合装置を備えた電子装置。
【符号の説明】
【００５６】
９    結合装置
１０、１０Ｃ    回転軸
１１、１２    ヒンジ
１３    摺動補助部材
１８    アシストばね部材
１９    引っ張りばね
２０    駒部材
３０    スライドアシスト機構
３１    第１のスライド部材
３２    第２のスライド部材
３３    本体
３４    ガイド部材
３５    環状部品
３６    凹部
４０    電子装置
４１〜４８    筐体
５１、５２    凹部
【図１】
0005783039.tif 000002
【図２】
0005783039.tif 000003
【図３】
0005783039.tif 000004
【図４】
0005783039.tif 000005
【図５】
0005783039.tif 000006
【図６】
0005783039.tif 000007
【図７】
0005783039.tif 000008
【図８】
0005783039.tif 000009
【図９】
0005783039.tif 000010
【図１０】
0005783039.tif 000011
【図１１】
0005783039.tif 000012
【図１２】
0005783039.tif 000013
【図１３】
0005783039.tif 000014
【図１４】
0005783039.tif 000015